(57)【特許請求の範囲】
【請求項１】
ホルダの柄杆と、この柄杆に可動自在に枢着した工具取付用の支持板と、この支持板の一端に設けた曲面状の案内溝を有する可動手段と、この可動手段と支持板を固止する第１緊締具と、前記支持板の一端に設けた工具取付用の第２緊締具と、前記支持板の他端に設けた工具取付用の支持腕板と、この支持腕板に設けた工具取付用の第３緊締具と、で構成されている工具用のホルダ。
【請求項２】
請求項１の可動手段を、柄杆の取付板に摺接移行する構成とした工具用のホルダ。
【請求項３】
請求項１のホルダは、工具を可動手段に対で設ける構成とした工具用のホルダ。
【請求項４】
請求項１の第３緊締具を、工具の工具本体に緊締する際、前記工具本体の間にワッシャー、ブッシュの圧着部材を介して行う構成とした工具用のホルダ。
【発明の詳細な説明】
【０００１】
【産業上の利用分野】
本発明は、工具用のホルダに関する。
【０００２】
【従来の技術】
従来、工具（塗装、剥離用等の刷毛・金属刷毛、カッター、工具、支持具、他の機具等を云う。以下、刷毛で説明する）は刷毛本体（刷毛柄杆）を把握又は支持して使用する。しかし、この使用方法では、刷毛部が自由に可動しないことから隅部又は狭隘な場所における作業（塗装、剥離等作業）に難渋する。従って、前記隅部等の作業が行える刷毛が要望されている。
【０００３】
前記要望の一環を先行文献から検討すると、次のような文献（１）〜（３）が挙げられる。以下、個別に説明する。
１．）  刷毛の角度を変更できる文献（１）、（２）を説明する。文献（１）は、実開昭５６−１１６３４号の塗装用刷毛であり、内容は、握柄（柄体）に対して、塗装部（刷毛部）を自由に変更（角度調整）できる構成を採用し、隅部等の作業を容易にする。文献（２）は、実開昭６２−３５６７７号の刷毛と柄との角度が自由に調整できる塗装用刷毛であり、内容及び特徴は文献（１）と略同様である。
２．）  刷毛と、ホルダとに関する文献（３）を説明する。文献（３）は、実開平１−１７９７７５号の刷毛用逆流防止具であり、内容は、刷毛を有底の中空パイプとを複数の固定ボルト（緊締具）で固止する構成であり、刷毛の取替えを可能とし、かつその取替えを簡便にすることにある。
【０００４】
【発明が解決しようとする課題】
前記文献（１）、（２）は、刷毛の角度が自由に変更できる特徴を有する。しかし、刷毛と、ホルダとを利用し、この刷毛の角度を自由に変更すること、又は従来の刷毛を利用し、当該刷毛の角度を自由に変更すること、等は困難である。また文献（１）、（２）の如く、刷毛の頭部（刷毛部）の角度変更では、構造上弱く、耐久性に欠ける問題がある。
【０００５】
また文献（３）は、刷毛とホルダとの連繋であり、刷毛の角度調整はできない構成であるので、前述の隅部等の作業に問題がある。
【０００６】
【課題を解決するための手段】
請求項１の発明は、刷毛とホルダとを利用して、この刷毛の角度及び／又はホルダからの刷毛部までの距離を自由に変更し、隅部等の作業を確実かつ適格にすること、刷毛の取替えを自由にし、当該刷毛の形態、又は損耗、損傷等の取替えが簡便にできること、又は刷毛の耐久性の向上、使用に要する圧力に対応できる刷毛（工具）用のホルダを提供すること、等を目的とする。
【０００７】
請求項１は、ホルダの柄杆と、この柄杆に可動自在に枢着した工具取付用の支持板と、この支持板の一端に設けた曲面状の案内溝を有する可動手段と、この可動手段と支持板を固止する第１緊締具と、前記支持板の一端に設けた工具取付用の第２緊締具と、前記支持板の他端に設けた工具取付用の支持腕板と、この支持腕板に設けた工具取付用の第３緊締具と、で構成されている刷毛（工具）用のホルダである。
【０００８】
請求項２の発明は、刷毛の移動（角度調整のための移動）を確実かつ適格にすること、又は前記機能を簡単な構成で達成すること、等を目的とする。
【０００９】
請求項２は、可動手段を、柄杆の取付板に摺接移行する構成とした刷毛用のホルダである。
【００１０】
請求項３の発明は、ホルダに対の刷毛を角度変更自在に取付け、前記隅部等の作業を達成し、かつ塗装を機能的に行うことを目的とする。
【００１１】
請求項３は、請求項１のホルダは、工具を可動手段に対で設ける構成とした工具用のホルダである。
【００１２】
請求項４の発明は、ホルダに刷毛を確実かつ適格に取付けること、この取付けの状態を確保し、かつ塗装時の刷毛に対する圧力に対応すること、等を目的とする。
【００１３】
請求項４は、請求項１の第３緊締具を、工具の工具本体に緊締する際、前記工具本体の間にワッシャー、ブッシュの圧着部材を介して行う構成とした工具用のホルダである。
【００１４】
【発明の実施の形態】
ホルダの可動板に刷毛の一端を緊締具を介して固止するとともに、同可動板に設けた支持板に刷毛の他端を緊締具を介して固止する。この両緊締具により刷毛が、ホルダに固止される。尚、ホルダに刷毛を対で固止する場合も同様である。また他端の緊締具を固止する際に、刷毛本体の隙間にブッシュ（スペーサ）、又は刷毛本体間にワッシャーを介在して緊締することが、ホルダと刷毛の強固及び簡単な取付けが可能である。即ち、刷毛は、例えば、二点支持（緊締）を介して安定かつ強固に取付けられる。この状態で柄杆を把持して塗装する（図６参照）。尚、天井又は高い壁面等の場合の塗装には、補助杆（補助竿・棒等）を使用して塗装する（図７参照）。そして、刷毛の角度及び／又は距離を調整する場合は、第１緊締具（符号は識別性を意図して付する）を弛緩し、可動板及び刷毛は枢着部を中心として移動する。この際、第１緊締具の螺杆に沿って可動板の案内溝が移動し、前記可動板及び刷毛の角度が変更される（図２参照）。そして、希望する角度変更ができた段階で、当該第１緊締具を緊締（螺入）する。この緊締により刷毛の角度が決定される（角度調整が完了する。）。前記塗装の他には、例えば、剥離、取付け、支持、打付け、孔開け、他の各種の作業が考えられる。
【００１５】
尚、刷毛は対の例と、単独の例があり、対の例では、原則として、一方と他方の刷毛は、同じ角度で取付け、使用する。しかし、この一方と他方の刷毛は、異なる角度で取付け、使用する場合もある。
【００１６】
【実施例】
以下、本発明の一実施例を説明する。
【００１７】
１はホルダで、このホルダ１は挿入部２００を有する柄杆２と、この柄杆２に設けた取付板３と、この取付板３に枢着部４を介して可動自在（移動自在）に設けた支持板５と、この支持板５と前記取付板３を連繋する可動板６とを主構成要素とする。
【００１８】
前記支持板５と取付板３とを連繋する可動板６は、案内溝６００を有しており、この案内溝６００には取付板３に設けた第１緊締具７の螺杆７００が挿入されており、この螺杆７００に螺着されるナット７０１の螺入で、前記可動板６を固止する。またこのナット７０１の螺戻でこの可動板６は移動できる。尚、この可動板６の移動で、前記支持板５が枢着部４を中心として可動する。この可動で、前記支持板５に取付けた刷毛２０の角度調整ができる。
【００１９】
図中８は支持板５に刷毛２０の刷毛本体２１の一端２１００を固止する第２緊締具で、この第２緊締具８は、支持板５に設けた螺杆８００とナット８０１とで構成されており、当該ナット８０１の螺入で、刷毛本体２１の一端２１００を固止する。またこのナット８０１の螺戻で、この刷毛本体２１の一端２１００を開放する。
【００２０】
図中９は前記支持板５の他端２１０１近傍に設けた支持腕板で、この支持腕板９には、第３緊締具１０が設けられており、この第３緊締具１０は支持腕板９に設けた螺杆１０００と、この螺杆１０００に螺着されるナット１００１とで構成されており、当該ナット１００１の螺入で、刷毛本体２１を固止する。またナット１００１の螺戻で、この刷毛本体２１を開放する。
【００２１】
図中１２はワッシャー（圧着部材）を示す。
【００２２】
尚、可動板６（可動手段）は、図４、図５の如く、線材で構成する構造、又は図示しないが扇板、リンク構成等の構造も有り得る。また案内溝６００は、凹凸、波形等の係止片を設ける構成が採用できる。
【００２３】
刷毛２０は、刷毛本体２１と、刷毛部２２とで構成されており、刷毛本体２１には第２緊締具８の螺杆８００を挿入する孔（図示せず）が設けられている。図中２１０２は刷毛本体２１の隙間を示す。
【００２４】
図中３０は柄杆２の挿入部２００に套嵌される補助杆である。
【００２５】
図中Ｈは人、Ｒは壁、Ｒ１は床を示す。
【００２６】
【発明の効果】
請求項１の発明は、ホルダの柄杆と、柄杆に可動自在に枢着した刷毛取付用の支持板と、支持板の一端に設けた曲面状の案内溝を有する可動手段と、可動手段と支持板を固止する第１緊締具と、支持板の一端に設けた第２緊締具と、支持板の他端に設けた刷毛取付用の支持腕板と、支持腕板に設けた第３緊締具と、で構成される刷毛（工具）用のホルダである。従って、刷毛とホルダを利用して、刷毛の角度及び／又はホルダからの刷毛部までの距離を自由に変更し、隅部等の作業を確実かつ適格に行なえること、刷毛の取替えを自由にし、刷毛の形態、又は損耗、損傷等の際の取替えが簡便にできること、又は刷毛の耐久性の向上、使用に要する圧力に対応できる刷毛（工具）用のホルダを提供できること、等の特徴がある。
【００２７】
請求項２の発明は、可動手段を、柄杆の取付板に摺接移行する構成とした刷毛用のホルダである。従って、刷毛の移動（角度及び／又は距離）を確実かつ適格にすること、又は前記機能を簡単な構成で達成できること、等の特徴がある。
【００２８】
請求項３の発明は、ホルダは、工具を可動手段に対で設ける構成とした刷毛用のホルダである。従って、ホルダに対の刷毛を角度変更自在に取付け、前記隅部等の作業を達成し、かつ塗装を機能的に行なえる特徴がある。
【００２９】
請求項４の発明は、第３緊締具を、刷毛の刷毛本体に緊締する際、前記刷毛本体の間にワッシャー、ブッシュの圧着部材を介して行う構成とした刷毛用のホルダである。従って、ホルダに刷毛を確実かつ適格に取付けること、この取付けの状態を確保し、かつ塗装時の刷毛に対する圧力に対応できる特徴がある。
【図面の簡単な説明】
【図１】本発明の一例を説明する斜視図である。
【図２】図１のホルダと刷毛の関係を説明する側面図である。
【図３】図１のホルダの斜視図である。
【図４】本発明の他の一例を説明する斜視図である。
【図５】図４のホルダの斜視図である。
【図６】本発明の使用状態を説明する模式図である。
【図７】本発明の他の使用状態を説明する模式図である。
【符号の説明】
１  ホルダ
２  柄杆
２００  挿入部
３  取付板
４  枢着部
５  支持板
６  可動板
６００  案内溝
７  第１緊締具
７００  螺杆
７０１  ナット
８  第２緊締具
８００  螺杆
８０１  ナット
９  支持腕板
１０  第３緊締具
１０００  螺杆
１００１  ナット
１２  ワッシャー
２０  刷毛
２１  刷毛本体
２１００  一端
２１０１  他端
２１０２  隙間
２２  刷毛部
３０  補助杆
Ｈ  人
Ｒ  壁
Ｒ１  床
【図１】
0004203563.tif 000002
【図２】
0004203563.tif 000003
【図３】
0004203563.tif 000004
【図４】
0004203563.tif 000005
【図５】
0004203563.tif 000006
【図６】
0004203563.tif 000007
【図７】
0004203563.tif 000008